(57)【要約】【課題】外気導入部から導入された外気に噴霧された噴霧水の濃淡をなくすことができる空冷式蒸気復水装置を提供すること。【解決手段】外気導入部１ａから蒸気復水器室１に導入された外気を送風機５によって蒸気復水器２に吹き付けて空冷する空冷式蒸気復水装置において、外気導入部１ａに、複数の通気孔を均一に配した空気整流部材３を配置し、この空気整流部材３のすべての通気孔の出口部分に、複数のノズルチップ４ａを一定間隔で配した水噴霧ノズル４を配置した。【選択図】図１
2010169285.tif 000002
【特許請求の範囲】
【請求項１】
外気導入部から蒸気復水器室に導入された外気を送風機によって蒸気復水器に吹き付けて空冷する空冷式蒸気復水装置において、
前記外気導入部に、複数の通気孔を均一に配した空気整流部材を配置し、
この空気整流部材のすべての通気孔の出口部分に、複数のノズルチップを一定間隔で配した水噴霧ノズルを配置したことを特徴とする空冷式蒸気復水装置。
【請求項２】
空気整流部材として、空気導入口と均一に配した複数の通気孔とを有するダクトサイレンサーを配置した請求項１に記載の空冷式蒸気復水装置。
【請求項３】
空気整流部材のすべての通気孔の出側部分に配置した水噴霧ノズルのそれぞれに遮断弁を設けるとともに、蒸気復水器の入口部分の真空度、及び送風機の入口部分の温湿度に応じて遮断弁を操作し、水噴霧に使用する水噴霧ノズルの本数を増減させる制御装置を設けた請求項１又は２に記載の空冷式蒸気復水装置。
【請求項４】
送風機を収容するケーシング内に冷却水用伝熱管を配置し、この冷却水用伝熱管に水を導入して冷却するようにした請求項１〜３のいずれかに記載の空冷式蒸気復水装置。
【発明の詳細な説明】
【技術分野】
【０００１】
本発明は、蒸気タービン等からの排気蒸気を通す蒸気復水器を空冷して排気蒸気を復水させる空冷式蒸気復水装置に関する。
【背景技術】
【０００２】
蒸気タービン等からの排気蒸気を復水させる空冷式蒸気復水装置として、特許文献１に開示されたものがある。
【０００３】
図５は、この特許文献１の空冷式蒸気復水装置を示す断面図である。この空冷式蒸気復水装置は、蒸気復水器室２１に設置された蒸気復水器２２と、蒸気復水器室２１に冷却用空気を供給する空気通路２３とを備える。空気通路２３にはその外気導入部２３ａから導入された外気に水を噴霧する水噴霧ノズル２４が設けられている。水噴霧によって湿度と温度が調節された外気（冷却用空気）は、送風機２５によって蒸気復水器室２１内の蒸気復水器２２に吹き付けられ、これによって蒸気復水器２２が冷却され、蒸気が復水する。
【０００４】
このように特許文献１の空冷式蒸気復水装置は、水の蒸発潜熱を利用して外気を冷却し冷却用空気とするもので、外気導入部から導入された外気の冷却により、冷却用空気と蒸気との温度差をとれるようにし、蒸気復水器の伝熱面積の縮小化や夏頃の高温時の冷却能維持を狙ったものである。
【０００５】
しかし、このような空冷式蒸気復水装置において、外気導入部での外気の流入速度及び流入量は、外部の気流や導入後の流路の影響を受け、一定でない。このため、外気（冷却用空気）中において水噴霧ノズルから噴霧した噴霧水（ミスト）の濃淡が発生し、全体として噴霧水が十分に蒸発せず、送風機周りの結露や腐食が生じることがあった。また、外気（冷却用空気）中において噴霧水の濃淡があると、その蒸発効率が悪いため、水の消費量が大となる問題もあった。
【０００６】
また、例えばごみ処理施設における蒸気タービンの排気蒸気量は常に変動し、一方、外気条件によって蒸発可能な噴霧水量も変動する。このような条件変動に対応できないと、噴霧水過多による送風機周りの結露の発生や、噴霧水不足による排気蒸気の真空度低下（圧力上昇）が発生して蒸気タービン発電量が低下するといった問題が生じる。
【０００７】
また、例えばごみ処理施設には蒸気タービンによる発電設備の他、冷却水を必要とする多くの機器が設置されており、冷却排水の再冷却のため、専用の冷却塔が別個に設置されている。この冷却塔も外気により蒸発冷却を行うものであり、基本的な冷却原理は上述の空冷式蒸気復水装置と同じであるが、各種冷却排水の再冷却には上述のとおり冷却塔が別個に設置されており、冷却塔の設置スペースの確保や、冷却塔からの白煙発生及び白煙の結露による周囲の濡れ対策が個別に必要となっていた。
【先行技術文献】
【特許文献】
【０００８】
【特許文献１】特開平１１−１４２０６７号公報
【発明の概要】
【発明が解決しようとする課題】
【０００９】
本発明が解決しようとする課題は、外気導入部から導入された外気に噴霧された噴霧水の濃淡をなくすことができる空冷式蒸気復水装置を提供することにある。
【００１０】
他の課題は、排気蒸気量や外気条件の変動に対応して、適切な量の水を噴霧することができる空冷式蒸気復水装置を提供することにある。
【００１１】
さらに他の課題は、他の機器で使用される冷却水用の水を冷却する冷却塔を兼用した空冷式蒸気復水装置を提供することにある。
【課題を解決するための手段】
【００１２】
本発明は、外気導入部から蒸気復水器室に導入された外気を送風機によって蒸気復水器に吹き付けて空冷する空冷式蒸気復水装置において、前記外気導入部に、複数の通気孔を均一に配した空気整流部材を配置し、この空気整流部材のすべての通気孔の出口部分に、複数のノズルチップを一定間隔で配した水噴霧ノズルを配置したことを特徴とするものである。
【００１３】
このように本発明では、外気導入部に空気整流部材を配置したことで、外気導入部から導入された外気を整流して均一な流れとすることができる。さらに、空気整流部材のすべての通気孔の出口部分に水噴霧ノズルを配置したことで、整流された外気に均一に水を噴霧することができ、噴霧水の濃淡を実質的になくすことができる。したがって、噴霧水の蒸発効率が向上し、その噴霧水を完全に蒸発させることができるとともに、送風機周りの結露を防止することができる。
【００１４】
本発明において、空気整流部材としては、空気導入口と均一に配した複数の通気孔とを有するダクトサイレンサーを使用することができる。
【００１５】
また、本発明においては、空気整流部材のすべての通気孔の出側部分に配置した水噴霧ノズルのそれぞれに遮断弁を設けるとともに、蒸気復水器の入口部分の真空度、及び送風機の入口部分の温湿度に応じて遮断弁を操作し、水噴霧に使用する水噴霧ノズルの本数を増減させる制御装置を設けることができる。
【００１６】
このように、噴霧水量を増減させる場合、水噴霧ノズル１本あたりの噴霧水量を増減させるのではなく、水噴霧ノズルの本数を増減させることで、噴霧水の粒径等の噴霧状態に影響を及ぼす噴霧圧力を変更することなく、噴霧水量を増減させることができる。
【００１７】
この噴霧水量（水噴霧ノズルの本数）の増減は、蒸気復水器の入口部分の真空度、及び送風機の入口部分の温湿度に応じて遮断弁を操作することによって行う。具体的には、蒸気復水器の入口部分の真空度、つまり蒸気タービン等の排気蒸気真空度が目標値より高ければ水噴霧ノズルの本数を減じる。また、蒸気復水器の入口部分の真空度が低下しても、送風機の入口部分の空気の相対湿度が高ければ、これ以上の噴霧水量増は空気冷却に寄与しないので水噴霧ノズルの本数は増加させない。
【００１８】
このように、蒸気復水器の入口部分の真空度と送風機の入口部分の温湿度とのバランスに応じて水噴霧ノズルの本数を増減させることで、常に適正な量の水を噴霧することができる。
【００１９】
また、本発明では、送風機を収容するケーシング内に冷却水用伝熱管を配置し、この冷却水用伝熱管に水を導入してその水を冷却することもできる。このように、冷却水用伝熱管を配置することで、他の機器で使用する冷却水用の水を冷却することができ、別途プラント機器冷却用に冷却塔を設置する必要がなくなり、効率的な運転ができ、かつ冷却塔からの白煙発生等の問題も解消できる。
【００２０】
なお、一般的に冷却水用伝熱管による冷却水の熱交換量は、蒸気復水器による熱交換量の１／２０程度であり、ほとんど蒸気復水器の冷却性能に影響することはない。
【発明の効果】
【００２１】
本発明によれば、空冷式蒸気復水装置において外気導入部から導入された外気に噴霧された噴霧水の濃淡をなくすことができる。したがって、噴霧水の蒸発効率が向上し、その噴霧水を完全に蒸発させることができるとともに、送風機周り等の結露を防止することができる。
【図面の簡単な説明】
【００２２】
【図１】本発明の空冷式蒸気復水装置の第１実施例を示す断面図である。
【図２】図１のＡ−Ａ断面図である。
【図３】水噴霧ノズルの制御系統を示す説明図である。
【図４】本発明の空冷式蒸気復水装置の第２実施例を示す断面図である。
【図５】従来の空冷式蒸気復水装置を示す断面図である。
【発明を実施するための形態】
【００２３】
以下、図面に示す実施例に基づき本発明の実施の形態を説明する。
【実施例１】
【００２４】
図１は、本発明の空冷式蒸気復水装置の第１実施例を示す断面図、図２は、図１のＡ−Ａ断面図である。
【００２５】
図１に示すように、蒸気復水器室１に蒸気復水器２が設置されている。蒸気復水器２はその上部に蒸気分配管２ａを有し、この蒸気分配管２ａに蒸気タービン等の排気蒸気が導入される。排気蒸気は、蒸気分配管２ａから分岐する複数の復水管（フィンチューブ）２ｂに分配され、復水管２ｂが空冷されることによって冷却され復水する。その復水は、各復水管２ｂの下部に接続された復水集合管２ｃに流れ込み、蒸気復水器室１の外に排出される。
【００２６】
復水管２ｂを空冷するために、蒸気復水器室１の下部に設けた外気導入部１ａから外気が導入される。導入された外気は、外気導入部１ａに配置された空気整流部材３によって整流され、整流された外気に、水噴霧ノズル４のノズルチップ４ａから水が噴霧される。水噴霧によって湿度と温度が調節された外気（冷却用空気）は、送風機５によって蒸気復水器２の各復水管２ｂに吹き付けられ、これによって各復水管２ｂが空冷される。なお、外気は送風機５が稼働することによって、外気導入部１ａから自然に吸い込まれて蒸気復水器室１内に導入される。
【００２７】
図２に示すように、空気整流部材３には複数の通気孔３ａが均一に設けられており、外気導入部１ａから導入された外気は各通気孔３ａに分配され、各通気孔３ａにおける通気速度及び通気量がほぼ均一となるように整流される。例えば、各通気孔３ａにおける通気速度は７〜１０ｍ／ｓ程度である。なお、空気整流部材３としては空気導入口と上記のような通気孔とを有するダクトサイレンサーを使用することができる。
【００２８】
空気整流部材３の通気孔３ａの出口部分には、そのすべてに水噴霧ノズル４が配置されている。それぞれの水噴霧ノズル４には、複数のノズルチップ４ａが一定間隔（等間隔）で配置されている。ノズルチップ４ａから噴霧される噴霧水の粒径は、２０〜３０μｍ程度とすることが好ましい。
【００２９】
このように、外気導入部１ａに空気整流部材３を配置したことで、外気導入部１ａから導入された外気は空気整流部材３によって整流され均一な流れとなる。さらに、空気整流部材３のすべての通気孔３ａの出口部分に、複数のノズルチップ４ａを一定間隔で配した水噴霧ノズル４を配置したことで、通気孔３ａ毎に噴霧水の濃淡はなく一様となり、蒸発負荷も一様となる。したがって、噴霧水の蒸発効率が向上し、噴霧水は送風機５に達するまでに蒸発し、送風機５周りの結露発生を防止できる。また、外気導入部１ａから導入された外気は、噴霧水の均一かつ確実な蒸発によって一様に冷却され、冷却効率も向上する。具体的には、噴霧水を確実に蒸発させることで、例えば夏場の気温３５℃、相対湿度６０％の条件下では、導入した外気の温度を約５℃低下させることができる。
【００３０】
図３は、水噴霧ノズル４の制御系統を示す。噴霧用の水は、水タンク６からストレーナ７を経由してポンプ８によってノズルヘッダ９に供給され、各水噴霧ノズル４に供給される。ポンプ８の吐出圧力は４〜６ＭＰａと高圧が必要で、一般的にはプランジャポンプが使用される。このポンプ８の吐出圧力は一次圧力調節弁１０で一定に調節される。
【００３１】
各水噴霧ノズル４から噴霧される噴霧水の平均粒径を２０〜３０μｍとするには、ポンプ８の吐出圧力を４〜６ＭＰａの高圧に一定に保つ必要があり、各水噴霧ノズル４からの噴霧水量を減少させるためにポンプ８の吐出圧力を低下させると噴霧水の粒径が大きくなり、その蒸発効率が低下する。
【００３２】
したがって、本実施例では、噴霧水量を増減させる場合、水噴霧ノズル１本あたりの噴霧水量を増減させるのではなく、使用する水噴霧ノズルの本数を増減させるようにしている。このために各水噴霧ノズル４に遮断弁１１を設けている。
【００３３】
使用する水噴霧ノズル４の本数は、蒸気復水器２の入口部分の真空度、すなわち蒸気タービン等の排気蒸気の真空度と、送風機５の入口部分の温湿度とによって決定される。
【００３４】
具体的には、蒸気復水器２の入口部分の真空度（蒸気タービン等の排気蒸気の真空度）が低下した場合は、制御装置１２が遮断弁１１を操作し、使用する水噴霧ノズル４の本数を増加させる。使用する水噴霧ノズル４が増加すると噴霧水量が増加して、導入された外気の温度が低下するとともに、送風機５の入口部分の相対湿度が上昇するが、蒸発効率上、この相対湿度は上限が９０〜９５％となるように噴霧水量を設定する。
【００３５】
一方、蒸気復水器２の入口部分の真空度（蒸気タービン等の排気蒸気の真空度）が目標値より高い場合は、使用する水噴霧ノズルの本数を減少させる。
【００３６】
なお、上述した水噴霧ノズル４の増減は、使用する水噴霧ノズル４の配置の均一性を損なわないような形で行う。
【００３７】
以上のように、噴霧水量を増減させる際に使用する水噴霧ノズル４の本数を増減させることで、ポンプ８の吐出圧力（噴霧圧力）を変化させる必要がない。したがって、噴霧水の粒径等、噴霧状態に悪影響を与えることなく噴霧水量を増減させて噴霧水量を常に適正な範囲とすることができる。その結果、噴霧水は送風機周り等に結露することなく完全に蒸発する。
【実施例２】
【００３８】
図４は、本発明の空冷式蒸気復水装置の第２実施例を示す断面図である。この実施例は、上述の第１実施例に、他の機器で使用された冷却排水を冷却して再度冷却水として使用するための構成を付加したものである。
【００３９】
具体的には、送風機５を収容するケーシング５ａ内に冷却水用伝熱管（フィンチューブ）１３を配置し、この冷却水用伝熱管１３に冷却排水を導入して冷却するようにしたものである。
【００４０】
このように、冷却水用伝熱管１３で他の機器の冷却排水を冷却可能とすることで、別途プラント機器冷却用に冷却塔を設置する必要がなくなり、効率的な運転ができ、かつ冷却塔からの白煙発生等の問題も解消できる。
【００４１】
なお、冷却水用伝熱管１３には、水噴霧ノズル４からの水噴霧により湿球温度近くまで冷却された冷却用空気が接触するので、少ない伝熱面積で冷却可能であり、送風機５の送風抵抗に与える影響は小さい。
【符号の説明】
【００４２】
１  蒸気復水器室
１ａ  外気導入部
２  蒸気復水器
２ａ  蒸気分配管
２ｂ  復水管（フィンチューブ）
２ｃ  復水集合管
３  空気整流部材
３ａ  通気孔
４  水噴霧ノズル
４ａ  ノズルチップ
５  送風機
５ａ  ケーシング
６  水タンク
７  ストレーナ
８  ポンプ
９  ノズルヘッダ
１０  一次圧力調節弁
１１  遮断弁
１２  制御装置
１３  冷却水用伝熱管（フィンチューブ）
２１  蒸気復水器室
２２  蒸気復水器
２３  空気通路
２３ａ  外気導入部
２４  水噴霧ノズル
２５  送風機
【図１】
2010169285.tif 000003
【図２】
2010169285.tif 000004
【図３】
2010169285.tif 000005
【図４】
2010169285.tif 000006
【図５】
2010169285.tif 000007